(57)【要約】【課題】コネクタ同士のがた付きを規制するための機能をさらに高めることが可能なコネクタを提供する。【解決手段】インナハウジング２３のうち雄コネクタ１０との嵌合方向前側において、前記インナハウジング２３の全周を包囲する位置には、前記フード部１４に接触して両者の間のがた付きを防止する前側がた止めリブ３７が設けられ、前記インナハウジング２３のうち前記雄コネクタ１０との嵌合方向後側には、前記フード部１４の開口端部と対向して配される壁部３１が設けられるとともに、前記フード部１４には、前記インナハウジング２３の全周を包囲する位置において前記一対のコネクタ１０，２０の嵌合方向に突出する環状リブ１８が設けられ、前記壁部３１には、前記環状リブ１８が差し込まれて前記一対のコネクタ１０，２０間のがた付きを防止する環状溝部３２が形成されている。【選択図】図１
2008300199.tif 000002
【特許請求の範囲】
【請求項１】
互いに嵌合可能な一対のコネクタであって、
一方のコネクタは、他方のコネクタとの嵌合方向に開口するフード部を備え、
他方のコネクタは、前記フード部内に配された一方の端子と接続可能な他方の端子を内部に収容可能であるとともに前記フード部に内嵌可能とされたハウジング部を備えており、
前記ハウジング部のうち前記一方のコネクタとの嵌合方向前側には、前記一対のコネクタが正規の嵌合状態に至ると、前記ハウジング部または前記フード部に接触して前記一対のコネクタ間のがた付きを防止する前側がた止めリブが前記ハウジング部の全周を包囲する位置に設けられ、
前記ハウジング部のうち前記一方のコネクタとの嵌合方向後側には、前記フード部の開口端部と対向して配される壁部が設けられ、前記フード部の開口端部と前記壁部とのうち一方には、前記ハウジング部の全周を包囲する位置において前記一対のコネクタの嵌合方向に突出する後側がた止めリブが設けられるとともに、他方には、前記一対のコネクタが正規の嵌合状態に至ると、前記後側がた止めリブが差し込まれて前記一対のコネクタ間のがた付きを防止する溝部が形成されていることを特徴とするコネクタ。
【請求項２】
前記前側がた止めリブは、前記ハウジング部の外周面に一体に形成されていることを特徴とする請求項１に記載のコネクタ。
【請求項３】
前記他方のコネクタには、前記ハウジング部の周りを覆うアウタハウジングが同ハウジング部とは別体に設けられ、このアウタハウジングには、前記一対のコネクタが正規の嵌合状態に至ると、前記一方のコネクタに対して前記嵌合方向に係合するロック機構が設けられていることを特徴とする請求項１または請求項２に記載のコネクタ。
【請求項４】
前記アウタハウジングと前記ハウジング部とは前記一対のコネクタの嵌合方向に相対的にスライド可能とされており、
前記アウタハウジングと前記ハウジング部との間には、前記一対のコネクタが正規の嵌合状態に至ると、前記アウタハウジングと前記ハウジング部とに押圧されて前記一対のコネクタの嵌合方向に弾性収縮する弾性体が備えられていることを特徴とする請求項３に記載のコネクタ。
【請求項５】
前記弾性体はゴム製であることを特徴とする請求項４に記載のコネクタ。
【請求項６】
前記弾性体と前記ハウジング部および前記アウタハウジングとには、凹凸状態に嵌まり合う位置決め部が設けられていることを特徴とする請求項５に記載のコネクタ。
【請求項７】
前記位置決め部は、前記弾性体に設けられた位置決め突部と、前記ハウジング部および前記アウタハウジングに設けられた位置決め凹部とにより構成されていることを特徴とする請求項６に記載のコネクタ。
【請求項８】
前記後側がた止めリブおよび前記溝部は、前記ハウジング部の全周を包囲するリング状をなしていることを特徴とする請求項１〜請求項７のいずれか１項に記載のコネクタ。
【請求項９】
前記後側がた止めリブは前記フード部の開口端部に形成され、前記溝部は前記壁部側に形成されていることを特徴とする請求項１〜請求項８のいずれか１項に記載のコネクタ。
【請求項１０】
前記溝部または前記後側がた止めリブには、前記一対のコネクタが正規の嵌合状態に至ると、前記溝部と前記後側がた止めリブとの間で押圧される突起部が設けられていることを特徴とする請求項１〜請求項９のいずれか１項に記載のコネクタ。
【請求項１１】
前記突起部は、前記ハウジング部の全周を包囲する位置に配されていることを特徴とする請求項１０に記載のコネクタ。
【請求項１２】
前記フード部と前記ハウジング部との間であって前記フード部の開口端側には、前記フード部と前記ハウジング部とに押圧されて両者間をシールするシールリングが装着されていることを特徴とする請求項１〜請求項１１のいずれか１項に記載のコネクタ。
【請求項１３】
前記アウタハウジングの内周面または前記フード部の外周面には、前記一対のコネクタが正規の嵌合状態に至ると、前記外周面または前記内周面に接触して前記一対のコネクタ間のがた付きを防止する外側がた止めリブが設けられていることを特徴とする請求項３〜請求項１２のいずれか１項に記載のコネクタ。
【請求項１４】
前記フード部の内周面のうち前記前側がた止めリブと対応する部分には内側へ突出する突出部が設けられ、前記前側がた止めリブは、同突出部の突出端に接触することを特徴とする請求項２〜請求項１３のいずれか１項に記載のコネクタ。
【発明の詳細な説明】
【技術分野】
【０００１】
本発明は、互いに嵌合する一対のコネクタに関する。
【背景技術】
【０００２】
従来、互いに嵌合する一対のコネクタとして、例えば特許文献１に記載のものが知られている。一対のコネクタのうち雄側のコネクタには、相手の雌側コネクタとの嵌合方向前側に開口するフード部と、このフード部内に突出する雄端子とが備えられている。
【０００３】
雌側コネクタには、雄端子と接続可能な雌端子が収容されるとともに雄側コネクタのフード部に内嵌可能とされた雌ハウジングと、この雌ハウジングの外周を囲う筒状をなして雄側コネクタのフード部に外嵌可能な筒状部とが備えられている。筒状部には、筒状部の一部分を切り欠くことによりロックアームが形成されており、このロックアームは雄側コネクタのロック突部に係合して両コネクタを正規の嵌合状態にロックする。
【０００４】
雌ハウジングの前側には保持キャップが被せられており、この保持キャップの外周面には複数の第１がた詰め部が突設されている。また、筒状部の内周面の奥端側には、複数の第２がた詰め部が設けられている。
そして、一対のコネクタが正規の嵌合状態に至ると、第１がた詰め部がフード部の内周面に、第２がた詰め部がフード部の外周面にそれぞれ密着し、両コネクタのがた付きを防止する。このように、雄端子と雌端子との接触部分の前後において両コネクタのがた付きを防止することで、コネクタの振動時に端子同士が擦れ合って金メッキが剥がれて電気抵抗が増加したり、また損傷等してしまうことを防止している。
【特許文献１】特開２００７−８０７３７公報
【発明の開示】
【発明が解決しようとする課題】
【０００５】
ところが、上記の構造では、筒状部のうちロックアームが設けられている部分（切り欠かれている部分）には第２がた詰め部を設けることができないため、その配置に偏りが生じることが避けられず、コネクタ間のがた止め機能のさらなる向上を図ることが難しいという問題がある。
本発明は上記のような事情に基づいて完成されたものであって、コネクタ間のがた付きを規制するための機能を高めることが可能なコネクタを提供することを目的とする。
【課題を解決するための手段】
【０００６】
本発明は、互いに嵌合可能な一対のコネクタであって、一方のコネクタは、他方のコネクタとの嵌合方向に開口するフード部を備え、他方のコネクタは、前記フード部内に配された一方の端子と接続可能な他方の端子を内部に収容可能であるとともに前記フード部に内嵌可能とされたハウジング部を備えており、前記ハウジング部のうち前記一方のコネクタとの嵌合方向前側には、前記一対のコネクタが正規の嵌合状態に至ると、前記ハウジング部または前記フード部に接触して前記一対のコネクタ間のがた付きを防止する前側がた止めリブが前記ハウジング部の全周を包囲する位置に設けられ、前記ハウジング部のうち前記一方のコネクタとの嵌合方向後側には、前記フード部の開口端部と対向して配される壁部が設けられ、前記フード部の開口端部と前記壁部とのうち一方には、前記ハウジング部の全周を包囲する位置において前記一対のコネクタの嵌合方向に突出する後側がた止めリブが設けられるとともに、他方には、前記一対のコネクタが正規の嵌合状態に至ると、前記後側がた止めリブが差し込まれて前記一対のコネクタ間のがた付きを防止する溝部が形成されていることに特徴を有する。
【０００７】
このような構成によれば、一対のコネクタが正規の嵌合状態に至ると、ハウジング部の前後両側で、ハウジング部の全周を包囲する位置において、両コネクタ間のがた付きが防止される。これにより、例えばハウジング部の前後両側のうち一方では、ハウジング部の周方向において偏った位置にがた止め構造を設けざるを得ない場合等に比べて、コネクタ間のがた付きを規制するための機能を高めることが可能となる。
【０００８】
前記前側がた止めリブは、前記ハウジング部の外周面に一体に形成されているものとしてもよい。これにより、別部材を介すことなく端子が収容されたハウジング部のがた止めがなされるから、端子同士の擦れ合いを防止できる。
【０００９】
前記他方のコネクタには、前記ハウジング部の周りを覆うアウタハウジングが同ハウジング部とは別体に設けられ、このアウタハウジングには、前記一対のコネクタが正規の嵌合状態に至ると、前記一方のコネクタに対して前記嵌合方向に係合するロック機構が設けられているものとしてもよい。
【００１０】
そして、前記アウタハウジングと前記ハウジング部とは前記一対のコネクタの嵌合方向に相対的にスライド可能とされており、前記アウタハウジングと前記ハウジング部との間には、前記一対のコネクタが正規の嵌合状態に至ると、前記アウタハウジングと前記ハウジング部とに押圧されて前記一対のコネクタの嵌合方向に弾性収縮する弾性体が備えられているものとしてもよい。
【００１１】
これにより、一対のコネクタが正規の嵌合状態に至ると、弾性体の弾性力によりハウジング部が嵌合方向前方へ押圧された状態になり、両コネクタ間の前後方向のがた付きを防止できる。また、アウタハウジングは嵌合方向後方へ押圧された状態になり、ロック機構における前後方向のがた付きを防止できる。
【００１２】
前記弾性体はゴム製であるものとしてもよい。これにより、弾性体は、ハウジング部とアウタハウジングとの間で押圧されると広がるから、ハウジング部とアウタハウジングに作用する接触圧は分散されて小さくなり、接触圧によるクリープ対策をしなくて済む。
【００１３】
前記弾性体と前記ハウジング部および前記アウタハウジングとには、凹凸状態に嵌まり合う位置決め部が設けられているものとしてもよい。これにより、弾性体は、アウタハウジングとハウジング部との間で押圧されても位置がずれないから、ハウジング部およびアウタハウジングに作用する弾性力に偏りが生じることを防止できる。
【００１４】
そして、前記位置決め部は、前記弾性体に設けられた位置決め突部と、前記ハウジング部および前記アウタハウジングに設けられた位置決め凹部とにより構成されているものとしてもよい。
前記後側がた止めリブおよび前記溝部は、前記ハウジング部の全周を包囲するリング状をなしているものとしてもよい。
前記後側がた止めリブは前記フード部の開口端部に形成され、前記溝部は前記壁部側に形成されているものとしてもよい。
【００１５】
前記溝部または前記後側がた止めリブには、前記一対のコネクタが正規の嵌合状態に至ると、前記溝部と前記後側がた止めリブとの間で押圧される突起部が設けられているものとしてもよい。これにより、溝部と後側がた止めリブとが強固に固定された状態になる。
また、前記突起部は、前記ハウジング部の全周を包囲する位置に配されているものとしてもよい。
【００１６】
前記フード部と前記ハウジング部との間であって前記フード部の開口端側には、前記フード部と前記ハウジング部とに押圧されて両者間をシールするシールリングが装着されているものとしてもよい。このような構成によれば、シールリングの弾性力により後側がた止めリブが外側へ押圧され、溝部の周面に押し付けられた状態になり、溝部と後側がた止めリブとが強固に固定された状態になる。
【００１７】
前記アウタハウジングの内周面または前記フード部の外周面には、前記一対のコネクタが正規の嵌合状態に至ると、前記外周面または前記内周面に接触して前記一対のコネクタ間のがた付きを防止する外側がた止めリブが設けられているものとしてもよい。
【００１８】
前記フード部の内周面のうち前記前側がた止めリブと対応する部分には内側へ突出する突出部が設けられ、前記前側がた止めリブは、同突出部の突出端に接触するものとしてもよい。
【発明の効果】
【００１９】
本発明によれば、コネクタ間のがた付きを規制するための機能を高めることが可能なコネクタを提供することができる。
【発明を実施するための最良の形態】
【００２０】
＜実施形態１＞
以下、本発明の実施形態１を図１〜図４によって説明する。
本実施形態におけるコネクタは、互いに嵌合可能な雄コネクタ１０（本発明の一方のコネクタに該当する）と雌コネクタ２０（同他方のコネクタに該当する）とからなるものである。
以下、各構成部材において、両コネクタ１０，２０における嵌合面側を前方とし、また、図１の上側を上方、下側を下方として説明する。
【００２１】
雄コネクタ１０は、前後方向に長い２本の雄端子１１（本発明の一方の端子に該当する）と、この雄端子１１を保持する雄ハウジング１２とを備えている。雄ハウジング１２は合成樹脂製であって、雄端子１１を前後方向に貫通させた姿勢で保持する端子保持部１３と、端子保持部１３の周縁から前方へ突出する筒状のフード部１４とにより構成されている。フード部１４は、雄端子１１のうち端子保持部１３から前方に突出した部分を囲う若干横長の形状をなしている。
【００２２】
フード部１４の上面には、ロック突部１５が突設されている。ロック突部１５は、フード部１４の前後方向の略中央位置に配され、幅方向においてはその略中央位置に配されている。ロック突部１５の前面は、前方へ向かって少しずつ突出寸法が小さくなる傾斜の乗り上げ面１５Ａとされている。
【００２３】
フード部１４の外周面には、図２に示すように、複数のガイドリブ１６が設けられている。これらガイドリブ１６は、フード部１４の上面においてはロック突部１５の両側位置に一対、両側面においては上下両端位置と中央位置とに一対ずつ、また下面においては幅方向両端位置に一対の計１０箇所に設けられている。各ガイドリブ１６は、前後方向に延びる形状をなしている。
【００２４】
フード部１４の内周面の奥側（嵌合方向における後側）には、複数の突出部１７が内側へ突出して設けられている。各突出部１７は、図１１に示すように、フード部１４の前後方向ほぼ中央位置から奥端（後端）までの部分（フード部１４の略後半部分）、言い換えると、フード部１４のうち雄端子１１が配されている部分にわたる前後に細長い形状をなしている。各突出部１７の前後方向寸法は、雄端子１１のうちフード部１４内に突出している部分の長さ寸法よりも若干大きい寸法とされている。突出部１７の前面には、前方へ向かって突出部１７の突出寸法が少しずつ小さくなる傾斜をなす案内面１７Ａが形成されている。突出部１７は、図２に示すように、フード部１４の内周面のうち上面においては幅方向両側寄り位置に一対、両側面においては上下方向中央位置に一対、下面においては幅方向中央に一対の計６箇所に設けられている。
【００２５】
フード部１４の開口端部（前端部）には、環状リブ１８（本発明の後側がた止めリブに該当する）が設けられている。環状リブ１８は、フード部１４の内周面に沿って前方へ突出するリング状、言い換えると、フード部１４の外周面側を切り欠くことで薄肉化されたリング状をなしている。環状リブ１８の厚さ寸法（フード部１４の内外方向の寸法）は、フード部１４の厚さ寸法のほぼ半分の寸法とされている。
【００２６】
雌コネクタ２０には、雄端子１１と接続可能な雌端子２１（本発明の他方の端子に該当する）が備えられている。雌端子２１は、全体として前後方向に長い形状をなし、前側には雄端子１１と接続可能な略箱形の接続部２１Ａが、後側にはバレル部２１Ｂが備えられている。このバレル部２１Ｂには、電線Ｗの端末とともに電線用ゴム栓２２が圧着されている。電線用ゴム栓２２は、後述する端子収容室２４の内周面に密着し、端子収容室２４内の防水を図る。
【００２７】
雌コネクタ２０は、雌端子２１を内部に収容可能なインナハウジング２３（本発明のハウジング部に該当する）を備えている。インナハウジング２３は合成樹脂製であって、雄ハウジング１２のフード部１４に内嵌可能な前後方向に長い略ブロック状をなしている。
【００２８】
インナハウジング２３には、雌端子２１を後方から挿入して収容可能な２つの端子収容室２４が横並びに形成されている。また、インナハウジング２３の後端部は、各端子収容室２４と連通して円筒部分が横並びに配された端子挿入部２３Ａとされている。
【００２９】
インナハウジング２３のうち各端子収容室２４の下壁には、前方へ向けて片持ち状に突出するランス２５が設けられている。ランス２５は上下方向に撓み変形可能とされている。なお、インナハウジング２３のうちランス２５の前方はそれぞれ開放されている。
【００３０】
インナハウジング２３の前後方向中央部よりもやや後側位置には、リテーナ装着部２６が設けられている。リテーナ装着部２６は、各端子収容室２４と連通してインナハウジング２３の下面側に開口している。
【００３１】
リテーナ装着部２６に装着されるリテーナ２７は、いわゆるサイドタイプのリテーナ２７であって、合成樹脂材により形成されている。このリテーナ２７には、雌端子２１の接続部２１Ａに後方から係合して雌端子２１の抜止めを図る係止部２８が設けられている。
【００３２】
インナハウジング２３の前壁のうち各端子収容室２４と対応する位置には、挿入口２９が前後方向に貫通して形成され、この挿入口２９を介して前方から雄端子１１が挿入され、端子収容室２４内へ誘導される。
【００３３】
インナハウジング２３の後側であって端子挿入部２３Ａの前側位置には、インナハウジング２３の外周面から全周にわたって外側（両コネクタ１０，２０の嵌合方向に対して直交方向）に突出する壁部３１が設けられている。壁部３１の外形は、フード部１４の外形とほぼ等しい形状とされ、言い換えると、壁部３１とフード部１４とを向き合わせたときにはフード部１４の外周面と壁部３１の突出端面とが前後方向にほぼ面一に配される。なお、端子挿入部２３Ａは、壁部３１から後方に突出する形態をなしている。
【００３４】
壁部３１の前面には、環状リブ１８を差し込み可能な環状溝部３２（本発明の溝部に該当する）が形成されている。環状溝部３２は、図３に示すように、インナハウジング２３の全周を包囲する若干横長のリング状をなし、両コネクタ１０，２０の嵌合方向に対して略直交方向をなす底面３２Ａと、その底面３２Ａの内外両側縁に沿って嵌合方向に略平行方向に切り立つ内側面３２Ｂと外側面３２Ｃとにより構成されている。
【００３５】
環状溝部３２は、壁部３１の突出端面から一定寸法だけ内側に入った位置に形成され、すなわち壁部３１の突出端面と環状溝部３２の外側面３２Ｃとは一定の間隔を空けて略平行に形成されている。また、環状溝部３２の溝幅は一定の寸法とされ、内外両側面３２Ｂ，３２Ｃは互いに略平行をなして対向している。
【００３６】
環状溝部３２の外側面３２Ｃ（環状溝部３２に差し込まれた環状リブ１８と内外方向に対向する面）には、複数の突起部３３が設けられている。突起部３３は、環状溝部３２の上下左右に２箇所ずつ互いに対向する位置、計８箇所に設けられている。言い換えると、突起部３３は、インナハウジング２３の全周を包囲する位置に配されている。
【００３７】
壁部３１の突出端面には、複数のガイド突部３５が突設されている。ガイド突部３５は、フード部１４のガイドリブ１６と対応する位置に設けられ（図３および図４を参照）、詳しくは壁部３１の両側面の上下両端位置と中央位置とに一対ずつと、下面の両端位置に一対との計８箇所に設けられている。壁部３１の突出端面のうちの上面は、平坦な面とされている。壁部３１のガイド突部３５のうち両側面の中央に設けられた一対のガイド突部３５Ａは、後述するアウタハウジング３８の被係合部４３に係合可能とされている。
【００３８】
壁部３１の後面は、インナハウジング２３の外周面に対して略垂直方向に切り立った凹凸のないフラットな面とされている。
壁部３１の前面のうちインナハウジング２３に連なる根元側には環状凹部３４が形成されている（図１参照）。環状凹部３４は、環状溝部３２を構成する内側の壁部分とインナハウジング２３の外周面との間に形成されたリング状をなしている。環状凹部３４の深さ寸法は、環状溝部３２よりも浅い寸法とされている。
【００３９】
インナハウジング２３の外周面において壁部３１の前側位置には、シールリング３６が嵌め付けられている。シールリング３６は、前後方向の中央部が径方向外側に膨出する形状をなし、前端部と後端部とは薄肉化されている。シールリング３６は、その後端部が環状凹部３４に嵌入され、膨出部分が環状溝部３２の前方に張り出した状態でインナハウジング２３に装着される。
【００４０】
インナハウジング２３の前側部分には、複数の前側がた止めリブ３７が設けられている。前側がた止めリブ３７は、インナハウジング２３の外周面に一体に形成され、外周面から外側に突出するとともに前後方向に長い形状をなしている。前側がた止めリブ３７は、図２に示すように、雄ハウジング１２の突出部１７に対応する位置、詳しくはインナハウジング２３の上面においては両端寄りの位置に２箇所、両側面においては略中央位置に１箇所ずつ、下面においては幅方向中央寄りの位置（一対のランス２５の間の位置）に２箇所の計６箇所に設けられている。言い換えると、前側がた止めリブ３７は、インナハウジング２３の上下左右（四方）、すなわちインナハウジング２３の全周を包囲する位置に配されている。
【００４１】
インナハウジング２３の上面に配された前側がた止めリブ３７は、インナハウジング２３の前端からシールリング３６の直前位置まで延びており、それ以外の面に形成された前側がた止めリブ３７は、リテーナ装着部２６の直前位置まで延びる形態とされている。
【００４２】
雌コネクタ２０は、インナハウジング２３の周りを覆うアウタハウジング３８を備えている。アウタハウジング３８はインナハウジング２３と別体とされ、インナハウジング２３に対して相対的に前後方向にスライド可能に組み付けられている。アウタハウジング３８は合成樹脂製であって、壁部３１よりも一回り大きい外形形状をなす奥壁３８Ａと、奥壁３８Ａの周縁から前方へ突出し、壁部３１を包囲可能な略筒状をなす外筒部３８Ｂとにより構成されている。外筒部３８Ｂとインナハウジング２３との間には、雄コネクタ１０のフード部１４を嵌合可能な間隔があけられている。奥壁３８Ａには、インナハウジング２３の端子挿入部２３Ａを遊挿可能な遊挿孔３９が前後方向に貫通して形成されている。奥壁３８Ａの前面は、壁部３１の後面と略平行をなして対向する平坦な面とされている。
【００４３】
アウタハウジング３８には、雄コネクタ１０のロック突部１５と係合して両コネクタ１０，２０を正規の嵌合状態にロックするロックアーム４１（本発明のロック機構に該当する）が設けられている。ロックアーム４１は、外筒部３８Ｂの上壁を切り欠いて形成され、前端側が自由端とされた片持ち状をなして上下方向に弾性変位可能とされている。ロックアーム４１の前端部には、ロック突部１５が嵌合可能な係合孔４１Ａが開口されている。
【００４４】
外筒部３８Ｂには、図４に示すように、フード部１４のガイドリブ１６および壁部３１のガイド突部３５を前後方向に挿通可能なガイド溝４２が各ガイドリブ１６およびガイド突部３５に対応する位置に設けられている。ガイドリブ１６およびガイド突部３５は、ガイド溝４２に進入することでその前後方向の移動が案内される。インナハウジング２３は、壁部３１のガイド突部３５がガイド溝４２に嵌められた状態でアウタハウジング３８に組み付けられ、ガイド突部３５がガイド溝４２に嵌合した状態で前後方向にスライドする。
【００４５】
複数のガイド溝４２のうち壁部３１のガイド突部３５Ａに対応するものには、被係合部４３が形成されている。この被係合部４３にガイド突部３５Ａが係合することにより、インナハウジング２３はアウタハウジング３８からの前方への離脱を防止される。なお、インナハウジング２３は、被係合部４３よりも後側においてガイド突部３５Ａが前後に移動可能な範囲で前後方向のスライドを許容される。
【００４６】
また、ガイド溝４２のうち外筒部３８Ｂの両側面の上下両端位置に配されたものには、それぞれ外側がた止めリブ４４が設けられている。外側がた止めリブ４４は、各ガイド溝４２に２つずつ設けられ、詳しくは、上側のガイド溝４２においてはその側面と上面、下側のガイド溝４２においてはその側面と下面とに設けられている。
【００４７】
そして、アウタハウジング３８の奥壁３８Ａとインナハウジング２３の壁部３１との間には、弾性体４５が装着されている（図１参照）。弾性体４５はゴム製であって、端子挿入部２３Ａに外嵌可能な横長の筒状をなしている。弾性体４５は、前後方向中央部が径方向外側に膨出する形状をなし、内周面には、２条のリップ４６が形成されている。
【００４８】
次に、上記のように構成された実施形態１の作用および効果について説明する。
両コネクタ１０，２０を互いに向き合わせて接近させると、インナハウジング２３の前端部がフード部１４内に挿入され、フード部１４はインナハウジング２３とアウタハウジング３８の外筒部３８Ｂとの間に挿入されていく。このとき、フード部１４のガイドリブ１６は外筒部３８Ｂのガイド溝４２に差し込まれ、ガイドリブ１６はガイド溝４２の外側がた止めリブ４４を押し潰すようにして案内される。また、インナハウジング２３の前端部は、フード部１４の奥側に設けられた突出部１７の案内面１７Ａに接触してその姿勢が正されスムーズに突出部１７の間に差し込まれていく。このとき、インナハウジング２３の前側がた止めリブ３７は、突出部１７の突出端に押圧された状態となる。そして、雄端子１１はインナハウジング２３の挿通口２９に挿入されて雌端子２１の接続部２１Ａ内に進入していく。
【００４９】
さらに両コネクタ１０，２０を接近方向に押し付けると、フード部１４の先端部がシールリング３６の外側に達し、シールリング３６を内側に押し潰すようにしながら奥へと進む。そして、フード部１４の環状リブ１８は、シールリング３６の弾性復元力により外側へ押されつつ壁部３１の環状溝部３２に差し込まれ、突起部３３を押圧した状態で環状溝部３２に収容される。
【００５０】
さらに両コネクタ１０，２０を接近方向に押し付けると、フード部１４の先端部が壁部３１を押圧し、壁部３１と奥壁３８Ａとの間に配された弾性体４５が押し潰されて弾性的に収縮していく。そして、アウタハウジング３８はインナハウジング２３に対して相対的に前進し、端子挿入部２３Ａが遊挿孔３９から奥壁３８Ａの後方へ少しずつ突出する。また、ロックアーム４１の先端部がロック突部１５の乗り上げ面１５Ａに乗り上げ、ロックアーム４１が上方へ弾性変形する。
【００５１】
そして、両コネクタ１０，２０が正規の嵌合状態に至ると、ロックアーム４１の先端部がロック突部１５を乗り越えてロックアーム４１が弾性復帰し、係合孔４１Ａにロック突部１５が嵌合する。これにより、ロックアーム４１とロック突部１５とが前後方向に係合し、両コネクタ１０，２０が正規の嵌合状態にロックされる。このとき弾性体４５は、壁部３１と奥壁３８Ａとの間で弾性的に潰された状態となっている。また、フード部１４とインナハウジング２３との間においては、シールリング３６が弾性的に挟み付けられて液密状態となっている。そして、シールリング３６の弾発力により、環状リブ１８は環状溝部３２の外側面３２Ｃに押し付けられた状態になっており、その外側面３２Ｃに形成された突起部３３に食い込んで、環状リブ１８と環状溝部３２とが全周にわたって強固に固定された状態で保持される。こうしてインナハウジング２３の後端部においては、環状リブ１８と環状溝部３２とが全周にわたって嵌合することにより、壁部３１のフード部１４に対する径方向への相対移動が不可能となり、インナハウジング２３とフード部１４との間でのがた付きが規制される。
【００５２】
また、インナハウジング２３の前端部においては、全部の前側がた止めリブ３７がフード部１４の突出部１７に押圧された状態で密着しており、インナハウジング２３とフード部１４との間でのがた付きが規制される。ここで、例えば前側がた止めリブが、インナハウジングとは別部品のフロントホルダやフロントリテーナ等に形成された場合には、結局別部品とインナハウジングとの間でがた付きが生じ、端子の接触部分の擦れ合いが生じるおそれがある。しかし、本実施形態においては、そのような別部材を介すことなく、雌端子２１を収容するインナハウジング２３のがた止めが直接なされるから、確実に端子１１，２１の擦れ合いを防止できる。
【００５３】
このように、両コネクタ１０，２０が正規の嵌合状態にあるときには、インナハウジング２３の前側および後側の両側（端子１１，２１の接続部分の前後両側）で、ともにインナハウジング２３の全周を包囲する位置において雄ハウジング１２とインナハウジング２３とのがた付きが規制される。ここで、インナハウジングの全周ではなく、例えばその両側および下側のみにおいてがた止めされている場合には、やはり上下方向のがた付きが多少は許容されてしまう。しかしながら、本実施形態においては、インナハウジング２３の全周を包囲する位置においてがた止めされることにより、そのようながた付きが許容される部分が生じることはなく、両コネクタ１０，２０間のがた止め機能は向上する。
そして、このようながた止めがインナハウジング２３の前後両側においてなされるから、両コネクタ１０，２０が強い振動を受けても両端子１１，２１の擦れ合いを防止できる。
【００５４】
また、弾性体４５により、インナハウジング２３は前方（インナハウジング２３の前端部が端子保持部１３に押し付けられる側）へ押圧された状態になってがた付きが防止され、アウタハウジング３８は後方（ロックアーム４１がロック突部１５に対する係合方向）へ押圧された状態になってロック部分における前後方向のがた付きが防止される。さらに、フード部１４のガイドリブ１６によってアウタハウジング３８のガイド溝４２の外側がた止めリブ４４が押圧された状態になっているから、これによりフード部１４とアウタハウジング３８とのがた付きが防止されている。これらにより、両コネクタ１０，２０のがた付きは一層確実に防止されて、高振動にも耐え得るものとなっている。
【００５５】
加えて、弾性体４５は、インナハウジング２３とアウタハウジング３８との間で押圧されると、壁部３１と奥壁３８Ａの壁面に沿って広がるから、壁部３１と奥壁３８Ａとに作用する接触圧は分散されて小さくなる。ここで、例えば金属製のバネ部材等を用いた場合には、ゴムのように接触部分の面積が広がることはなく、接触圧が分散されずに一点に集中して作用することになるので、クリープ対策のために壁部３１および奥壁３８Ａの壁厚寸法を大きくする必要がある。しかしながら、本願においてはそのような対策を施さなくてもよいため、コネクタを大型化しなくて済む。
【００５６】
以上説明したように実施形態１によれば、両コネクタ１０，２０が正規の嵌合状態にあるときには、インナハウジング２３の前側および後側の両側で、しかもインナハウジング２３の全周を包囲する位置において、インナハウジング２３と雄ハウジング１２との間のがた付きが防止される。これにより、コネクタ１０，２０同士のがた付きを規制するための機能を格段に高めることができる。
【００５７】
＜実施形態２＞
次に、本発明の実施形態２に係るコネクタを図５〜図８によって説明する。
本実施形態のコネクタは、弾性体５０とインナハウジング２３およびアウタハウジング３８とに、凹凸状態に嵌まり合う位置決め部を設けた点で、実施形態１とは相違する。なお、実施形態１と同様の構成には同一符号を付して重複する説明を省略する。
【００５８】
弾性体５０は、実施形態１と同様ゴム製であって、端子挿入部２３Ａに外嵌可能な横長の筒状をなしている（図７参照）。弾性体５０は、前後方向中央部が径方向外側に膨出する形状をなし、内周面には、２条のリップ５１が形成されている。
【００５９】
そして、弾性体５０の前後方向の両端部には、位置決め突部５２がそれぞれ設けられている。位置決め突部５２は、弾性体５０の前端面および後端面の径方向中央位置にそれぞれ形成されたリング状をなし、前端面から前方に、後端面から後方に向かってそれぞれ突出している。
【００６０】
インナハウジング２３およびアウタハウジング３８には、弾性体５０の位置決め突部５２が嵌合可能な位置決め凹部５３が設けられている。なお、この位置決め突部５２と位置決め凹部５３とが位置決め部を構成している。位置決め凹部５３は、インナハウジング２３の壁部３１の後面においては、端子挿入部２３Ａの全周を囲むリング状に形成され、また、アウタハウジング３８の奥壁３８Ａの前面においては、遊挿孔の全周を囲むリング状に形成されている。両位置決め凹部５３は、同形状をなして前後に対向して形成されている。
【００６１】
弾性体５０は、図５に示すように、位置決め突部５２がそれぞれインナハウジング２３およびアウタハウジング３８の位置決め凹部５３に嵌合した状態で組み付けられる。そして、位置決め突部５２と位置決め凹部５３との嵌合により、弾性体５０は、インナハウジング２３とアウタハウジング３８との間で押し潰されても、壁部３１および奥壁３８Ａの壁面に沿う方向への位置ずれが規制される。これにより、弾性体５０からの弾性力はインナハウジング２３およびアウタハウジング３８に偏りなく作用し、もって、両コネクタ１０，２０のがた付きを確実に防止できる。
【００６２】
＜他の実施形態＞
本発明は上記記述及び図面によって説明した実施形態に限定されるものではなく、例えば次のような実施形態も本発明の技術的範囲に含まれる。
【００６３】
（１）上記実施形態では、環状リブ１８および環状溝部３２は、インナハウジング２３の全周を包囲するリング状とされているが、これに限らず、インナハウジング２３の全周を包囲可能な位置に設けられていればリング状でなくても構わず、例えば、インナハウジングの上下左右に間欠的に形成されたリブおよび溝部であってもよい。
【００６４】
（２）上記実施形態では、フード部１４側に環状リブ１８が、壁部３１側に環状溝部３２が形成されているが、フード部側に環状溝部、壁部側に環状リブを形成してもよい。
（３）上記実施形態では、環状溝部３２に突起部３３が形成されているが、必ずしも突起部は形成されていなくてもよく、また例えば環状リブ側に突起部を設けるようにしてもよい。
【００６５】
（４）上記実施形態では、前側がた止めリブ３７は、フード部１４内に突設された突出部１７に接触しているが、これに限らず、例えばフード部の平坦な内周面に直接接触するようにしてもよい。
（５）上記実施形態では、アウタハウジング３８はインナハウジング２３と別体とされているが、両ハウジングは一体的に形成されていてもよい。
【００６６】
（６）上記実施形態では、前側がた止めリブ３７はインナハウジング２３に形成されているが、フード部側に形成しても構わない。
（７）上記実施形態では、ガイド溝４２に外側がた止めリブ４４が設けられているが、必ずしも外側がた止めリブは設けられていなくてもよく、また例えばガイドリブ側、もしくは外筒部のうちガイド溝ではない部分に設けるようにしてもよい。
【００６７】
（８）上記実施形態では、弾性体４５（５０）はゴム製とされているが、弾性的に収縮可能であればゴム製でなくても構わず、例えば金属製のばね部材であってもよい。
（９）上記実施形態では、フード部１４とインナハウジング２３との間にシールリング３６が装着されているが、必ずしもシールリングは装着されていなくてもよい。
【００６８】
（１０）実施形態２では、弾性体５０に位置決め突部５２、インナハウジング２３およびアウタハウジング３８に位置決め凹部５３が形成されているが、弾性体側に位置決め凹部、インナハウジングおよびアウタハウジング側に位置決め突部を形成するようにしてもよい。
【図面の簡単な説明】
【００６９】
【図１】実施形態１に係るコネクタの側断面図
【図２】フード部の奥端部とインナハウジングの前端部との嵌合状態を表す断面図
【図３】環状リブと環状溝部との嵌合状態を表す断面図
【図４】雌コネクタの正面図
【図５】実施形態２に係るコネクタの側断面図
【図６】弾性体の側面図
【図７】弾性体の正面図
【図８】弾性体の断面図
【符号の説明】
【００７０】
１０…雄コネクタ（一方のコネクタ）
１１…雄端子（一方の端子）
１４…フード部
１７…突出部
１８…環状リブ（後側がた止めリブ）
２０…雌コネクタ（他方のコネクタ）
２１…雌端子（他方の端子）
２３…インナハウジング（ハウジング部）
３１…壁部
３２…環状溝部（溝部）
３３…突起部
３６…シールリング
３７…前側がた止めリブ
３８…アウタハウジング
４１…ロックアーム（ロック機構）
４４…外側がた止めリブ
４５（５０）…弾性体
５２…位置決め突部
５３…位置決め凹部
【図１】
2008300199.tif 000003
【図２】
2008300199.tif 000004
【図３】
2008300199.tif 000005
【図４】
2008300199.tif 000006
【図５】
2008300199.tif 000007
【図６】
2008300199.tif 000008
【図７】
2008300199.tif 000009
【図８】
2008300199.tif 000010